(57)【要約】【課題】構造が簡単で、装置の製造コストの低減を図れると共に、レイアウトの制約を受けず、設計の自由度が高い水洗便器用薬剤供給装置を提供する。【解決手段】液体の流入により弾性変形する弾性変形体８を用い、洗浄水（薬剤水溶液）をこの弾性変形体８内に直接流入させることによって、洗浄水（薬剤水溶液）が取り込まれると速やかに弾性変形する構成としている。また、膨張変形した際の膨張量を規制する膨張量規制部材としての本体ケース３内に弾性変形体８を配設し、本体ケース３によって膨張量が規制されることで洗浄水の流入量を一定にした構成である。従って、洗浄水供給管の内圧が減少すれば、膨張変形した弾性変形体８の復元力によって薬剤水溶液を返送できるため、連通管２の取り付け位置の制約が小さくなり、水洗便器薬剤供給装置の形状も、トイレスペース、便器形状等に合わせて種々の形状で形成でき、設計の自由度が高い。【選択図】  図１
2004324313.tif 000002
【特許請求の範囲】
【請求項１】
水洗便器に洗浄水を供給する洗浄水供給管から連通管を介して本体ケース内に洗浄水を取り込み、本体ケース内に配置された薬剤供給手段から供給される薬剤を本体ケース内に取り込まれた洗浄水により希釈して薬剤水溶液とし、この薬剤水溶液を前記連通管を介して洗浄水供給管内に流出させて水洗便器へ供給する水洗便器用薬剤供給装置において、
前記本体ケース内に設けられる洗浄水流入路形成部材に開口部を密接させて配設され、該開口部を経由しての液体の流入により膨張し、前記洗浄水供給管の内圧の減少に伴って弾性復帰する弾性変形体と、
前記弾性変形体の周囲に設けられ、弾性変形体の膨張量を制限することにより、水の流入量を規制し、前記薬剤の希釈率を安定化させる膨張量規制部材と
を具備することを特徴とする水洗便器用薬剤供給装置。
【請求項２】
前記本体ケースが、前記膨張量規制部材を構成していることを特徴とする請求項１記載の水洗便器用薬剤供給装置。
【請求項３】
前記洗浄水流入路形成部材は、洗浄水流入路の中途に、薬剤水溶液の薬液溜まり部を有し、該薬液溜まり部に、薬剤容器に設けた薬液供給手段を介して薬剤を供給可能に設け、前記弾性変形体内に、薬剤容器が配設されていることを特徴とする請求項１又は２記載の水洗便器薬剤供給装置。
【請求項４】
前記弾性変形体は、開口部が一つの袋状に形成され、薬剤容器をその内側に位置させて、前記洗浄水流入路形成部材の周壁部に密着されており、薬剤容器及び弾性変形体を洗浄水流入路形成部材と共に、着脱可能に設けられていることを特徴とする請求項３記載の水洗便器薬剤供給装置。
【請求項５】
前記弾性変形体は、開口部が二つの筒状に形成され、薬剤容器をその内側に位置させた状態で、一方の開口部が、前記洗浄水流入路形成部材の周壁部に密着され、他方の開口部が、前記薬剤容器の上端付近に密着されており、薬剤容器の上端に、蓋部材が装着され、該蓋部材を介して、薬剤容器を取り外すことなく、薬剤を補充可能であることを特徴とする請求項３記載の水洗便器薬剤供給装置。
【請求項６】
前記本体ケースが、薬剤容器を配設する容器収容室と、弾性変形体を収容する変形体収容室との２つの室を有して形成されていることを特徴とする請求項１記載の水洗便器薬剤供給装置。
【発明の詳細な説明】
【０００１】
【発明の属する技術分野】
本発明は、水洗便器用薬剤供給装置に関し、特に、洗浄水供給装置から水洗便器に洗浄水が供給されると、水洗便器に消毒、消臭、洗浄などを目的とした必要量の薬剤を自動的に供給する水洗便器用薬剤供給装置に関する。
【０００２】
【従来の技術】
従来、水洗便器に洗浄水を供給する洗浄水供給管と組み合わせて使用され、水洗便器に洗浄水が流れる度に水洗便器内に消毒、消臭、洗浄などを目的とした薬剤を自動的に供給する水洗便器用薬剤供給装置が知られている。このような水洗便器薬剤供給装置は、これまでに種々の構造のものが知られているが、基本的には、特許文献１に示された構造を利用したものである。すなわち、ケース内に、薬剤を浸出可能な薬剤容器とフロートとを配設すると共に、ケースに弁室を付設し、さらに、弁室内に配設した弁体と上記フロートとを連結し、該弁室と洗浄水供給管とを連通管により接続した構造である。洗浄水供給管内を洗浄水が流れると、その一部が連通管を介して弁室内に取り込まれ、さらに、弁室からケース内に両者の連絡孔を介して取り込まれることにより、薬剤が洗浄水と混合され、フロートが所定量浮き上がると弁体が連絡孔を閉じ、洗浄水の流入量を制限する。そして、洗浄水供給管内を流れる洗浄水量が少なくなって、その水圧が小さくなると、弁体が下降して連絡孔を開き、薬剤が混合された状態の洗浄水が連通管及び洗浄水供給管を介して水洗便器に供給される。
また、特許文献２に開示されているように、ケースの一部をゴムなどの弾性体から形成したり、ケース内に密封されたゴム袋のような圧力可変体を配置して、ゴムの弾性変形による圧力変化を利用して薬剤が混合された洗浄水を、洗浄水供給管に返送する構造のものもある。
【０００３】
【特許文献１】
特公昭４９−２１５４１号公報
【特許文献２】
特許２５９９０７０号公報
【０００４】
【発明が解決しようとする課題】
しかしながら、特許文献１に開示され装置においては、薬剤が混合された洗浄水（薬剤水溶液）は、洗浄水供給管内の洗浄水の流量が少なくなった際に、重力によって洗浄水供給管へ返送されるに過ぎない。従って、洗浄水供給管と水洗便器薬剤供給装置とを結ぶ連通管は、ほぼ水平か、洗浄水供給管との連結部が水洗便器薬剤供給装置の弁室との連結部より若干低くなるように設け、水洗便器薬剤供給装置に対しては、ケースの底部から洗浄水を取り込むように連結する必要があり、水洗便器薬剤供給装置の設計の自由度の点で制約があった。
【０００５】
特許文献２に開示された装置の場合には、ケース内に取り込まれる水により、ゴム袋等の圧力可変体を変形させ、その復元力を利用して薬剤水溶液を押圧する構成であるため、連通管の配設方法については、理論的には、特許文献１に開示された装置よりも若干の自由度がある。ところが、特許文献２に開示された装置において、洗浄水が取り込まれるのは、あくまで、ケース内である。従って、ケースは気密に作られることが必要なるが、薬剤容器は交換したり、あるいは薬剤を補充したりする必要があるため、このケースは、開閉可能に設けられることも必要であり、その上で、気密性の高い構造とするのは構造が複雑となり、コストやメンテナンス面において不利で、実用性に乏しかった。また、ケースの一部を弾性体から形成するにしても、薬剤容器を倒立状態で設置する部分は、硬質の部材でなければならず、このようなケースを作ること自体、コスト的に見合わず、また、弾性体部分の変形量を一定に制御することも難しく、実用性に乏しかった。
【０００６】
また、洗浄水が、ケース内に直接取り込まれる構造であるため、まず、ケース内の空気が圧縮された後に、圧力可変体が弾性変形する構造であり、圧力可変体が弾性変形するまでケース内の圧力を高めることは、通常の水洗便器システムでは困難であった。すなわち、特許文献２に開示された装置においても、連通管はケースの底部に連結し、洗浄水供給管との間でほぼ水平に配設しないと、薬剤水溶液を供給することは実質的に難しく、実際には、特許文献１と比較して、設計の自由度において大差なかった。
【０００７】
本発明は上記した点に鑑みなされたものであり、連通管の取り付け位置の制約が少なく、設計の自由度が高いと共に、フロートにより洗浄水の流入量を制御することなく、洗浄水の流入量を確実に制御でき、希釈割合を簡易な構成でほぼ均一にすることができる水洗便器薬剤供給装置を提供することを課題とする。
【０００８】
【課題を解決するための手段】
上記した課題を解決するため、本発明者は、フロートに代えて、液体の流入により弾性変形する弾性変形体を用い、洗浄水（薬剤水溶液）をこの弾性変形体内に直接流入させることによって、洗浄水（薬剤水溶液）が取り込まれると即座に弾性変形する構成とする一方、膨張変形した際の膨張量を規制することにより、洗浄水の流入量を一定にすることに着目した。これにより、洗浄水供給管の内圧が減少すれば、膨張変形した弾性変形体の復元力によって薬剤水溶液を返送できるため、連通管の取り付け位置の制約が小さくなり、水洗便器薬剤供給装置の形状も、トイレスペース、便器形状等に合わせて種々の形状で形成でき、設計の自由度が増す。
【０００９】
すなわち、請求項１記載の本発明では、水洗便器に洗浄水を供給する洗浄水供給管から連通管を介して本体ケース内に洗浄水を取り込み、本体ケース内に配置された薬剤供給手段から供給される薬剤を本体ケース内に取り込まれた洗浄水により希釈して薬剤水溶液とし、この薬剤水溶液を前記連通管を介して洗浄水供給管内に流出させて水洗便器へ供給する水洗便器用薬剤供給装置において、
前記本体ケース内に設けられる洗浄水流入路形成部材に開口部を密接させて配設され、該開口部を経由しての液体の流入により膨張し、前記洗浄水供給管の内圧の減少に伴って弾性復帰する弾性変形体と、
前記弾性変形体の周囲に設けられ、弾性変形体の膨張量を制限することにより、水の流入量を規制し、前記薬剤の希釈率を安定化させる膨張量規制部材とを具備することを特徴とする水洗便器用薬剤供給装置を提供する。
請求項２記載の本発明では、前記本体ケースが、前記膨張量規制部材を構成していることを特徴とする請求項１記載の水洗便器用薬剤供給装置を提供する。
請求項３記載の本発明では、前記洗浄水流入路形成部材は、洗浄水流入路の中途に、薬剤水溶液の薬液溜まり部を有し、該薬液溜まり部に、薬剤容器に設けた薬液供給手段を介して薬剤を供給可能に設け、前記弾性変形体内に、薬剤容器が配設されていることを特徴とする請求項１又は２記載の水洗便器薬剤供給装置を提供する。
請求項４記載の本発明では、前記弾性変形体は、開口部が一つの袋状に形成され、薬剤容器をその内側に位置させて、前記洗浄水流入路形成部材の周壁部に密着されており、薬剤容器及び弾性変形体を洗浄水流入路形成部材と共に、着脱可能に設けられていることを特徴とする請求項３記載の水洗便器薬剤供給装置を提供する。
請求項５記載の本発明では、前記弾性変形体は、開口部が二つの筒状に形成され、薬剤容器をその内側に位置させた状態で、一方の開口部が、前記洗浄水流入路形成部材の周壁部に密着され、他方の開口部が、前記薬剤容器の上端付近に密着されており、薬剤容器の上端に、蓋部材が装着され、該蓋部材を介して、薬剤容器を取り外すことなく、薬剤を補充可能であることを特徴とする請求項３記載の水洗便器薬剤供給装置を提供する。
請求項６記載の本発明では、前記本体ケースが、薬剤容器を配設する容器収容室と、弾性変形体を収容する変形体収容室との２つの室を有して形成されていることを特徴とする請求項１記載の水洗便器薬剤供給装置を提供する。
【００１０】
【発明の実施の形態】
以下、図面に示した実施形態に基づいて本発明を更に詳しく説明する。
図１および図２に基づき本発明の第１の実施形態に係る水洗便器用薬剤供給装置を説明する。この装置は、水洗便器に洗浄水を供給する洗浄水供給管１から連通管２を介して本体ケース３内に洗浄水を取り込み、供給される薬剤を本体ケース３内に取り込まれた水により希釈して薬剤水溶液とし、洗浄水供給管１内の内圧減少に伴って、該薬剤水溶液を前記連通管２を介して再び洗浄水供給管１内に排水して、水洗便器内へと排流するように構成されている。
洗浄水供給管１は、例えば、上下縦方向に延びて配管されており、上端部は図示しない洗浄水タンクに接続され、下端部は図示しない水洗便器に接続されている。
かかる洗浄水供給管１の途中には、連通管２の一端部が接続され、他端部は本体ケース３に連結されている。
【００１１】
本体ケース３は、下側に位置するベース部材４と、上側に位置する開閉蓋５とから構成され、中空に形成されている。ベース部材４は、下端が閉じられ、上端が開放された筒形状に形成されている。開閉蓋５は、下端が開放され、上端が閉じられた筒形状に形成され、上端は半円球のドーム状に形成されている。ベース部材４と開閉蓋５とは、ベース部材４の上端周部に形成された係合爪４Ａと係合孔４Ｂとに、開閉蓋５の下端周部に形成された係合溝５Ａと係合爪５Ｂとを、開閉蓋５の下端周部を弾性変形させて係脱させることで、ベース部材４に対して開閉蓋５を着脱して開閉できるようになっている。
【００１２】
かかる本体ケース３の内部には、薬剤容器７と弾性変形体８とが、洗浄水流入路形成部材を構成するホルダ１０に支持されて配設されている。
まず、ホルダ１０は、有底の筒状に形成され、底部側から順に内径の小さい第１の筒部１０Ａと内径の大きい第２の筒部１０Ｂとから構成されている。そして、内径の小さい第１の筒部１０Ａの周壁部に取り囲まれた内周部が薬液溜まり部６を構成する。また、第１の筒部１０Ａの周壁部には、厚み方向に貫通する貫通孔１０Ｃが形成されており、この貫通孔１０Ｃが、本体ケース３のベース部材４の厚み方向に貫通され、連通管２に連結される孔部４Ｃに連通するように設けられている。
【００１３】
薬剤容器７は、外径の小さなヘッド部７Ａと胴部７Ｂとを備えた縦長の筒形状に形成されており、内部に薬剤が充填され、洗浄水流入路形成部材を構成する上記のホルダ１０によって支持される。具体的には、ヘッド部７Ａを倒立させ、下側に向けた状態で、該ヘッド部７Ａが第１の筒部１０Ａの薬液溜まり部６に臨み、胴部７Ｂのヘッド部７Ａ寄りの部位が第２の筒部１０Ｂ内に位置するように配設される。装着方法としては、ヘッド部７Ａ又は胴部７Ｂのうちのヘッド部７Ａ寄りの部位のいずれかが、第１の筒部１０Ａの周壁部の内周又は第２の筒部１０Ｂの周壁部の内周に螺合等の手段により固定されるように配置される。
【００１４】
この場合、ホルダ１０は、洗浄水流入路を形成する部材であるため、いずれにしても、第１の筒部１０Ａ  の周壁部の内周と第２の筒部１０Ｂの周壁部の内周とに、洗浄水を流通させる縦溝部１０Ｄを円周方向に適宜間隔をおいて複数形成しておく。なお、ホルダ１０に形成される貫通孔１０Ｃ、縦溝部１０Ｄ及び薬液溜まり部６が、洗浄水流入路となる。また、薬液溜まり部６に臨むように配設される薬剤容器７には、薬液供給手段が設けられている。薬液供給手段は、例えば、薬剤容器７のヘッド部７Ａ内に配設された海綿からなり、海綿に薬剤が浸透して、薬液溜まり部６にしみ出させるものである。
【００１５】
弾性変形体８は、例えばゴムなどの弾性変形可能な材質から袋状に形状され、薬液溜まり部６に対して上記した縦溝部１０Ｄを介して連通するように設けられる。すなわち、本実施形態の弾性変形体８は、開口部が一つの袋状に形成され、該開口部８をホルダ１０の第２の筒部１０Ｂの周壁部の外周面に密着固定して設けられる。これにより、上記した貫通孔１０Ｃ、薬液溜まり部６及び縦溝部１０Ｄを介して洗浄水が直接弾性変形体８内に流入する。従って、弾性変形体８は、洗浄水が流入せずにその水圧が加わらないときには薬剤容器７の外面に密着するように収縮変形し、洗浄水が流入してその水圧が加わったときに膨張変形する。なお、弾性変形体８が膨張し、図２に示したように、本体ケース３の開閉蓋５の内面に当接すると膨張変形が止まる構成となっており、本実施形態においては、かかる本体ケース３の開閉蓋５が、弾性変形体８の膨張量を規制する膨張量規制部材として機能する。
【００１６】
また、本実施形態の弾性変形体８は、開口部にシール部材としてのＯリング部１１が一体に形成されており、このＯリング部１１がホルダ１０の第２の筒部１０Ｂの外周面に形成された周溝１０Ｅに嵌合され、シールされている。さらに、ホルダ１０の第１の筒部１０Ａは、本体ケース３のベース部材４の内側に嵌め込まれて、動かないように保持され、第２の筒部１０Ｂに装着される弾性変形体８とベース部材４の周壁部上端付近との間には、パッキン１２が配設され、上記した弾性変形体８のＯリング部１１に圧接し、シールしている。
【００１７】
上記したように、本実施形態においては、薬剤容器７と弾性変形体８とが、ホルダ１０を介して一体化されており、本体ケース３の開閉蓋５をベース部材４から取り外して、一体化された薬剤容器７、弾性変形体８及びホルダ１０を、ベース部材４に対して着脱できる構成となっている。従って、薬剤容器７内の薬剤を消費した場合には、薬剤容器７を弾性変形体８及びホルダ１０と共に、一体化した状態で、新たなものと交換することになる。
【００１８】
次に、本実施形態の水洗便器用薬剤供給装置の作用について説明する。
洗浄水供給管１に洗浄水が供給されると、この洗浄水は洗浄水供給管１を介して水洗便器内に供給される。また、洗浄水供給管１を流れる洗浄水の一部は連通管２及び孔部４Ｃを介して本体ケース３内に流入する。
このようにして、本体ケース３内に洗浄水が取り込まれると、この洗浄水は洗浄水流入路形成部材を構成するホルダ１０の貫通孔１０Ｃを介して薬液溜まり部６に流れ込んで、薬液溜まり部６に既に溜まっている薬剤と混じり、薬剤水溶液となって洗浄水流入路である縦溝部１０Ｄを介して、弾性変形体８内へ直接流入する。
【００１９】
薬剤の混じった洗浄水（薬剤水溶液）が流入する前は、弾性変形体８は薬剤容器７の外面に密着しているが、薬剤水溶液が流入すると、図２に示すように、弾性変形体８が速やかに膨張して、本体ケース３の開閉蓋５の内周面に接触する。弾性変形体８が開閉蓋５の内周面に接触することで、これ以上の薬剤水溶液は入らないため、弾性変形体８の膨張が停止して、洗浄水の本体ケース３内への流入がストップされる。
【００２０】
この場合、薬液溜まり部６には、前回、薬剤水溶液が水洗便器内へと排流された際に、薬剤水溶液が所定量溜まっており、さらに、薬剤容器７底部のヘッド部７Ａ内の海綿から薬剤が緩やかにしみ出して、この薬剤水溶液と混じり、薬液溜まり部６内には高い濃度の薬剤水溶液が既に溜まっている。従って、本体ケース３内に流入した洗浄水は薬液溜まり部６内の高い濃度の薬剤水溶液と混じって希釈し、所定の濃度の薬剤水溶液が弾性変形体８内に溜まる。
【００２１】
水洗便器への洗浄水の供給が終わり近くなって、洗浄水供給管内の圧力が低下すると、弾性変形体８の弾性復元力が勝り、弾性変形体８が収縮変形し、その圧力で弾性変形体８内の薬剤水溶液が押し出される。この薬剤水溶液は、洗浄水流入路を構成する縦溝部１０Ｄ、貫通孔１０Ｃ及び孔部４Ｃを介して、さらに連通管２を経由して洗浄水供給管１に至り、洗浄水供給管１から水洗便器内に流下する。
そして、弾性変形体８内の薬剤水溶液が押し出された後では、上記したように、薬液溜まり部６に薬剤水溶液が流れずに所定量残っており、さらに、ヘッド部７Ａ内の海綿から薬剤が緩やかにしみ出て、薬液溜まり部６内の薬剤水溶液と混じり、薬液溜まり部６内には、次の洗浄水の流入に備えて高い濃度の薬剤水溶液が溜まることになる。
次にまた洗浄水供給管１に洗浄水が供給されると、上記の作用が繰り返される。
薬剤容器７内の薬剤がなくなったときには、ホルダ１０を本体ケース３内部から取り出して、ホルダ１０と薬剤容器７と弾性変形体８の全部を新しいものと交換すれば良い。
【００２２】
上記の水洗便器用薬剤供給装置によると、洗浄水供給管１を介して水洗便器内に供給される洗浄水の一部で薬剤を希釈し、薬剤と洗浄水とが混じった薬剤水溶液で弾性変形体８を膨張させつつその内部に流入させて、一時的に貯留し、弾性変形体８の弾性的な収縮により薬剤水溶液を押し出す構成である。このため、本体ケース３内に薬剤水溶液を一時的に溜めたり、水洗便器への薬剤水溶液の供給量を制御するためにフロートを用いる必要がなく、構造が簡単となり、装置の製造コストを安価に抑えることができる。
【００２３】
特に、本体ケース３によって、弾性変形体８の膨張変形量を規制することで、弾性変形体８の破裂を防止できると共に、洗浄水の流入量の制御を行え、しかも、常にほぼ一定量の薬剤水溶液を水洗便器に供給でき、水洗便器の消毒、消臭、洗浄などの作用が安定している。
【００２４】
また、弾性変形体８内部に貯留した薬剤水溶液を、弾性変形体８の弾性的な収縮力（復元力）により押し出して、洗浄水供給管へ返送しているため、連通管２を必ずしも本体ケース３の底部付近にほぼ水平にして連結する必要がなく、例えば、図１の２点鎖線で示すように、連通管２を上向きに延ばして洗浄水供給管１に連結しても、貯留した薬剤水溶液を洗浄水供給管へ返送することができる。従って、トイレスペース、便器形状等との関係から、連通管２を上側に配設したい場合にも容易に対応でき、レイアウトの制約を受けず、設計の自由度が高いという利点がある。
【００２５】
図３および図４は、本発明の第２の実施形態に係る水洗便器用薬剤供給装置である。
この実施形態は、薬剤容器１５として、薬剤補充式のものを適用している点で上記第１の実施形態と異なり、本体ケース１６は、筒状のベース部材１７と、該ベース部材１７の上部に装着され、略中央部に開口部１８Ａが形成された開閉蓋１８とを備えてなる。
【００２６】
本体ケース１６内には、上記実施形態と同様の構造のホルダ１０が装着され、補充式の薬剤容器１５及び弾性変形体２１がこのホルダ１０に支持される。薬剤容器１５は、上部に薬剤の補充口１５Ａが開口されており、該補充口１５Ａには、蓋部材１５Ｂが装着され、該蓋部材１５Ｂが開閉蓋１８の開口部１８Ａを介して外部に臨むように設けられている。
【００２７】
なお、薬剤容器１５のヘッド部１５Ｃに設ける薬液供給手段は、補充口１５Ａを備えているため、薬剤容器１５内は大気圧雰囲気であり、第１の実施形態のように海綿を使用すると、洗浄水が薬剤容器１５内に浸入するおそれがある。このため、本実施形態では、ヘッド部１５Ｃ内に、弁機構を介して薬剤容器１５の胴部１５Ｄ内と連通する薬剤滴下室（図示せず）を設けると共に、ダイヤフラム１５Ｅと薬剤滴下室に連通する薬剤吐出口１５Ｆとを設けた構成としている。洗浄水が流入せず、薬液溜まり部６内の水圧が低い状態（図３の状態）では、ダイヤフラム１５Ｅが下降しているため、ヘッド部１５Ｃ内の弁機構が開弁状態で薬剤滴下室に薬剤容器１５の胴部１５Ｄ内の薬剤が滴下され、図４に示したように洗浄水が流入して薬液溜まり部６内の水圧が高くなると、ダイヤフラム１５Ｅが上昇して薬剤滴下室内を圧縮し、薬剤吐出口１５Ｆから薬剤が薬液溜まり部６に滴下される。もちろん、かかる薬液供給手段はあくまで一例であり、薬剤容器１５内が大気圧雰囲気であっても該薬剤容器１５内への洗浄水の流入を防止できる構造であればどのような構造であってもよい。
【００２８】
弾性変形体２１は、例えばゴムなどの弾性変形可能な材質から形成され、両端が開放された二つの開口部を有する筒状に形状される。かかる弾性変形体２１は、両側の開口部にシール部材としてのＯリング部２１Ａ，２１Ｂがそれぞれ一体に形成されており、下側のＯリング部２１Ａがホルダ１０の第２の筒部１０Ｂの外周面に形成された周溝１０Ｅに嵌合され、上側のＯリング部２１Ｂが薬剤容器１５の上部に形成された周溝１５Ｇに嵌合されている。そして、開閉蓋１８との間に装着されたリング状のパッキン１９により上側のＯリング部２１Ｂが薬液容器１５の上部に押し付けられ、シールされている。
【００２９】
本実施形態の水洗便器用薬剤供給装置においても、上記実施形態と同様に、本体ケース１６内に洗浄水が取り込まれると、この洗浄水は薬液溜まり部６に流れ込んで、該薬液溜まり部６に残存している前回の薬剤と混じり希釈する。そして、希釈された薬剤水溶液は、弾性変形体２１内に直接流入し、図４に示すように、弾性変形体２１が膨張して、本体ケース１６の内周面に接触する。弾性変形体２１が本体ケース１６の内周面に接触することで、弾性変形体２１の膨張が停止して、洗浄水の本体ケース１６内への流入がストップされる。
この場合、薬液溜まり部６には、上記のように前回、薬剤水溶液が水洗便器内へと排流された際の薬剤が所定量残っている一方、さらに、新たに流入した洗浄水の水圧でダイヤフラム１５Ｅの作用により薬剤吐出口１５Ｆから薬剤が薬液溜まり部６に滴下され、所望の希釈濃度に調整される。
【００３０】
洗浄水の供給が終わり近くなって、洗浄水の水圧が低下すると、ダイヤフラム１５Ｅは元の状態に戻る一方、洗浄水供給管内の圧力よりも弾性変形体２１の弾性復元力が勝ると、その圧力で弾性変形体２１内の薬剤水溶液が押し出され、連通管２を介して洗浄水供給管に至り、洗浄水供給管から水洗便器内に流下する。
【００３１】
本実施形態においても、弾性変形体２１の弾性復元力によって薬剤水溶液を押し出すことができるため、連通管２の配設の仕方等に対する制約が小さく、設計の自由度が高いという利点がある。また、本実施形態では、薬剤容器１５内の薬剤がなくなったときには、薬剤容器１５の蓋部材１５Ｂを外して、補充口１５Ａから薬剤を容易に補充することができるという利点がある。
【００３２】
図５及び図６は、本発明の第３の実施形態に係る水洗便器用薬剤供給装置である。この実施形態は、上記第第１及び２の実施形態を応用して、水洗便器の上部中央に連結される洗浄水供給管１に対して、左右に偏ることなく、装着でき、外観の向上を図ったタイプである。すなわち、本体ケース１００を、薬剤容器を収容する容器収容室１１０と、弾性変形体を収容する変形体収容室１２０との２つの室に区分し、両者間に上記実施形態の連通管に相当する連通室１３０を設け、該連通室１３０を洗浄水供給管１が上下に貫通し、洗浄水供給管１からの洗浄水を容器収容室１１０側と変形体収容室１２０側に供給される構造としたものである。
【００３３】
容器収容室１１０に配設する薬液容器１１１は、上記第２の実施形態と同様に薬液供給手段としてダイヤフラムを用いたものであり、連通室１３０から取り入れられた洗浄水は、薬液容器１１１のヘッド部１１２が位置する薬液溜まり部１１３まで至り、所定の濃度に希釈する。
【００３４】
連通室１３０から取り入れられる洗浄水は、また、変形体収容室１２０側へ流れる。変形体収容室１２０内には、上記第１の実施形態と同様の袋状の弾性変形体１２１が収容されており、連通室１３０を経た洗浄水は、そのまま、あるいは、薬剤と混ざって該弾性変形体１２１内に直接流入する。そして、変形体収容室１２０の内周面に接触するまで弾性変形体１２１は膨張していく。
【００３５】
洗浄水供給管１内の圧力が低下すると、上記各実施形態と同様に、弾性変形体１２１の弾性復元力により、該弾性変形体１２１内に溜まった洗浄水（薬剤水溶液）が連通室１３０に排出され、ここで、再び、薬液溜まり部１１３に滴下された薬剤が混ざり、所定の濃度の薬剤水溶液として、洗浄水供給管１に流出する。その他の作用は、上記第１及び第２の実施形態と同様である。
【００３６】
【発明の効果】
本発明の水洗便器用薬剤供給装置は、液体の流入により弾性変形する弾性変形体を用い、洗浄水（薬剤水溶液）をこの弾性変形体内に直接流入させることによって、洗浄水（薬剤水溶液）が取り込まれると速やかに弾性変形する構成としている。また、膨張変形した際の膨張量を規制する膨張量規制部材を設け、洗浄水の流入量を一定にした構成である。従って、洗浄水供給管の内圧が減少すれば、膨張変形した弾性変形体の復元力によって薬剤水溶液を返送できるため、連通管の取り付け位置の制約が小さくなり、水洗便器薬剤供給装置の形状も、トイレスペース、便器形状等に合わせて種々の形状で形成でき、設計の自由度が高い。
【図面の簡単な説明】
【図１】図１は、本発明の第１の実施形態に係る水洗便器用薬剤供給装置を説明するための正面断面図である。
【図２】図２は、上記第１の実施形態に係る水洗便器薬剤供給装置の作用を説明するための正面断面図である。
【図３】図３は、本発明の第２の実施形態に係る水洗便器用薬剤供給装置を説明するための正面断面図である。
【図４】図４は、上記第２の実施形態に係る水洗便器薬剤供給装置の作用を説明するための正面断面図である。
【図５】図５は、本発明の第３の実施形態に係る水洗便器用薬剤供給装置を説明するための概略斜視図である。
【図６】図６は、上記第３の実施形態に係る水洗便器用薬剤供給装置を説明するための正面断面図である。
【符号の説明】
１  洗浄水供給管
２  連通管
３，１６，１００  本体ケース
４，１７  ベース部材
５，１８  開閉蓋
６，１１３  薬液溜まり部
７，１５，１１１  薬剤容器
８，２１，１２１  弾性変形体
１０  ホルダ
１１３  連通室
【図１】
2004324313.tif 000003
【図２】
2004324313.tif 000004
【図３】
2004324313.tif 000005
【図４】
2004324313.tif 000006
【図５】
2004324313.tif 000007
【図６】
2004324313.tif 000008